(57)【特許請求の範囲】
【請求項１】
筆記機能又は掲示機能を有する壁面固定型のメインボードにテレビ機能を付加するためのテレビシステムであって、
前記メインボードの外側に位置させて、前記メインボードの上辺及び下辺に沿うように設置されるガイドレールと、前記上下のガイドレール間に、横方向にスライド可能に配備されるスライド枠と、前記スライド枠に取り付けられることにより前記スライド枠と一体となって横方向に移動可能となる大画面薄型テレビとから成り、
前記スライド枠は、上端部及び下端部に前記ガイドレールに係合して転動又は摺動するレール係動手段を備えていて前記メインボードを上下に跨ぐように設置される一対の縦杆を有していることを特徴とするテレビシステム。
【請求項２】
前記上下のガイドレールはそれぞれ、前記メインボードが固定されている壁面に基枠材を介して設置される、請求項１に記載のテレビシステム。
【請求項３】
前記基枠材は、前記スライド枠を、前記メインボードから水平方向に離隔させるに足る高さとされる、請求項２に記載のテレビシステム。
【請求項４】
上側の前記ガイドレールを設置するための前記基枠材と下側の前記ガイドレールを設置するための前記基枠材のうちの一方又は双方に、配線を通すための切欠きが形成される、請求項２又は３に記載のテレビシステム。
【請求項５】
前記スライド枠は、前記一対の縦杆を横に連結する連結杆又は連結板を備える、請求項１乃至４のいずれかに記載のテレビシステム。
【請求項６】
前記スライド枠の縦杆は後方延長杆を備え、前記後方延長杆の端部に前記レール係動手段が設置される、請求項１乃至５のいずれかに記載のテレビシステム。
【請求項７】
前記メインボードは、平面ボード、ＵＤ式ボード、上下スライド式ボード、左右引分け式ボード、曲面ボード、半曲面ボードのうちのいずれかである、請求項１乃至６のいずれかに記載のテレビシステム。
【発明の詳細な説明】
【技術分野】
【０００１】
本発明はテレビシステムに関するものであり、より詳細には、学校等の教育機関や関連施設、あるいは、一般企業等で使用されるものであって、主に、既設の黒板やホワイトボード等の壁面固定型ボードに対し、それら本来の筆記機能や掲示機能の他に、テレビ機能を付加して成るテレビシステムに関するものである。
【背景技術】
【０００２】
世界の情報化社会の発展進化に伴い、学校などの教育現場や企業の研修室等での表現形式として用いられてきた、チョーク書き込み式黒板やマーカー書き込み式白板（ホワイトボード）等の旧来の形態から、情報の表現方式に対する時代の要求として電子黒板（電子ボード）による表現方式の要求の高まりが強くなってきており、プロジェクターの使用も常態化してきている。また、一方において、５０インチサイズの大画面薄型テレビも普及しつつある。
【０００３】
しかるに、この大画面薄型テレビを、黒板やホワイトボードと共に使用したいとの要請も少なくない。その場合、テレビが黒板やホワイトボードと離れていると、テレビにおける映像と、黒板等における筆記事項との対比参照等に不便を感じることになるので、テレビは黒板やホワイトボードの近くに設置されることが望ましい。
【０００４】
しかし、従来、テレビを黒板やホワイトボードと共に使用可能にするために、テレビを黒板やホワイトボード等に付設したテレビシステムといったものは提唱されていない。なお、黒板やホワイトボード等の壁面固定型ボードに、インタラクティブボードの機能を付加することに関しては、例えば、特許文献１乃至３に記載のものがある。
【先行技術文献】
【特許文献】
【０００５】
【特許文献１】特開２００９−１１３４４６号公報
【特許文献２】特開２００９−１１３４４９号公報
【特許文献３】特開２００９−１１９６６３号公報
【発明の概要】
【発明が解決しようとする課題】
【０００６】
本発明は、上記背景の下になされたもので、主に、既設の黒板やホワイトボード等の壁面固定式ボードに対し、その種類を問わず、それらの本来の筆記等の機能を損なうことなくテレビ機能を付加したテレビシステムを提供することを課題とする。
【課題を解決するための手段】
【０００７】
上記課題を解決するための請求項１に記載の発明は、筆記機能又は掲示機能を有する壁面固定型のメインボードにテレビ機能を付加するためのテレビシステムであって、前記メインボードの外側に位置させて、前記メインボードの上辺及び下辺に沿うように設置されるガイドレールと、前記上下のガイドレール間に、横方向にスライド可能に配備されるスライド枠と、前記スライド枠に取り付けられることにより前記スライド枠と一体となって横方向に移動可能となる大画面薄型テレビとから成り、前記スライド枠は、上端部及び下端部に前記ガイドレールに係合して転動又は摺動するレール係動手段を備えていて前記メインボードを上下に跨ぐように設置される一対の縦杆を有していることを特徴とするテレビシステムである。
【０００８】
一実施形態においては、前記上下のガイドレールはそれぞれ、前記メインボードが固定されている壁面に基枠材を介して設置され、前記基枠材は、前記スライド枠を、前記メインボードから水平方向に離隔させるに足る高さとされ、  上側の前記ガイドレールを設置するための前記基枠材と下側の前記ガイドレールを設置するための前記基枠材のうちの一方又は双方に、配線を通すための切欠きが形成される、
【０００９】
一実施形態においては、前記スライド枠は、前記一対の縦杆を横に連結する連結杆又は連結板を備え、また、一実施形態においては、前記スライド枠の縦杆は後方延長杆を備え、前記後方延長杆の端部に前記レール係動手段が設置される。
【００１０】
前記メインボードは、平面ボード、ＵＤ式ボード、上下スライド式ボード、左右引分け式ボード、曲面ボード、半曲面ボードのうちのいずれかである。
【発明の効果】
【００１１】
本発明は上記のとおりであって、本発明に係るテレビシステムは、メインボードの外側に位置させて、前記メインボードの上辺及び下辺に沿うようにガイドレールを設置し、前記上下のガイドレール間に、横方向にスライド可能にスライド枠を配備し、前記スライド枠に大画面薄型テレビを取り付けることにより構築されるので、簡単な工事で、既設の黒板やホワイトボード等の壁面固定型ボードに、それら本来の筆記機能や掲示機能を損なうことなく、テレビ機能を付加し得る効果がある。
【００１２】
また、テレビはスライド枠と一体となって横方向に移動可能となるため、テレビを任意の位置に移動させて視聴することができ、また、黒板等への筆記に際しては、テレビを筆記の邪魔にならない位置に移動させることができ、非常に使い勝手が良いという効果がある。
【図面の簡単な説明】
【００１３】
【図１】本発明に係るテレビシステムの一実施形態を説明するための正面図である。
【図２】本発明に係るテレビシステムにおいて用いるスライド枠の構成例を示す正面図である。
【図３】図１におけるＡ−Ａ線断面図である。
【図４】図１におけるＢ−Ｂ線断面図である。
【図５】本発明に係るテレビシステムの他の実施形態を説明するための縦断面図である。
【図６】本発明に係るテレビシステムの更に他の実施形態を説明するための平面図である。
【図７】本発明に係るテレビシステムの更に他の実施形態を説明するための平面図である。
【図８】図７におけるＣ−Ｃ線断面図である。
【図９】本発明に係るテレビシステムの他の実施形態を説明するための縦断面図である。
【発明を実施するための形態】
【００１４】
本発明は、筆記機能又は掲示機能を有する壁面固定型のメインボードにテレビ機能を付加して成るテレビシステムであって、添付の図面は、本発明を実施するための形態を示すものである。以下に、本発明を実施するための種々の形態について、添付図面を参照しつつ詳細に説明する。
【００１５】
本発明に係るテレビシステムは、通例、黒板又はホワイトボードであるメインボード１の外側に位置させて、メインボード１の上辺及び下辺に沿うようにガイドレール５、６を設置し、その上下のガイドレール５、６間に、横方向にスライド可能にスライド枠９を配備し、スライド枠９に大画面薄型テレビ２０を取り付けて構成される。スライド枠９は、メインボード１を上下に跨ぎ、上端部及び下端部にガイドレール５、６に係合して転動又は摺動するレール係動手段が取り付けられた一対の縦杆１０、１１を有している。
【００１６】
ガイドレール５、６は、メインボード１が設置される壁面３１等に固定設置されることが多いが（図１乃至図８参照）、メインボード１の少し手前側の天井３２と床面３３とに固定設置することもできる（図９参照）。
【００１７】
サブボード２０が付設されるメインボード１は既設のものである場合が多いが、新設の場合であってもよいことは言うまでもない。また、後述するように本テレビシステムは、メインボード１が単なる平面ボードの場合のみならず、ＵＤ式ボード、上下スライド式ボード、左右引分け式ボード、曲面ボード、あるいは、半曲面ボードその他各種ボードに適用可能である。
【００１８】
ガイドレール５、６は、例えば、アルミ枠で構成することができ、壁面３１、天井３２、あるいは、床面３３に直接設置することとしてもよいが、通例、金属製（図３、４）又は木製（図５、８、９）の基枠材３、４を介して設置することとする。その場合ガイドレール５、６は、予め基枠材３、４に取り付けておいてもよいが、基枠材３、４をネジ止め、釘止め等の方法で、壁面３１、あるいは、天井３２と床面３３に固定した後に、基枠材３、４に設置することとしてもよい。
【００１９】
そして、特に壁面３１に設置する場合は、基枠材３、４の一方又は双方に、縦方向に抜けて、電気コード、ビデオケーブル、ＵＳＢケーブル等の配線類を取りまとめて挿通支持する切欠き１９を貫設することが好ましい（図５参照）。
【００２０】
上側のガイドレール５と下側のガイドレール６との間に横方向にスライド可能に渡されるスライド枠９は、例えば、四角形、Ｈ字形状等の、一対の縦杆１０、１１と、縦杆１０、１１を連結する１又は複数の連結杆１２（あるいは、連結板１２ａ）とから成るもので、その縦杆１０、１１の上下端部にそれぞれ、ガイドレール５、６に沿って転動又は摺動可能に係合するレール係動手段７、８を設置する（図２参照）。
【００２１】
スライド枠９は、テレビ２０をスライド可能に支持するものであり、テレビ２０を安定状態に支持してスライドさせるために、縦杆１０、１１は複数であることが好ましいが、ある程度の幅がある縦枠を用いる場合には、縦枠１枚であっても差し支えない。
【００２２】
また、言うまでもなく連結杆１２（あるいは、連結板１２ａ）は、縦杆１０、１１を連結して、スライド枠９全体がガイドレール５、６に沿って一体に移動するようにする役目を果たすものであるが、この連結杆１２（あるいは、連結板１２ａ）を省略し、テレビ２０を直接縦杆１０、１１に固定することとして、テレビ２０に連結杆１２（あるいは、連結板１２ａ）の役目を果たさせるようにすることもできる。
【００２３】
ガイドレール５、６とこれに対するレール係動手段７、８の組合わせは種々考えられるが、一般的な組合わせとしては、ガイドレール５、６を断面角Ｃ字型にし、レール係動手段７、８を転動ホイール１５とし、転動ホイール１５をガイドレール５、６に係合させることが考えられる（図３〜５、８、９参照）。その場合転動ホイール１５は、テレビ２０の安定移動のために、１つのホイール軸１６に対して、移動方向に一対配置することが好ましい（図２参照）。また、必要に応じ、ホイール軸１６は屈曲自在にする。
【００２４】
レール係動手段７、８は、後述する図９に示す実施形態の場合を除き、縦杆１０、１１の上下端部を後方水平方向に延長して設けた後方延長杆１３、１４に設置することとする（図３参照）。このようにレール係動手段７、８を後方延長杆１３、１４を介して設置するのは、スライド枠９をメインボード１から離隔させて、スライド枠９がメインボード１に接触しないようにするためである。従って、後方延長杆１３、１４は、メインボード１が平面ボードの場合よりも、メインボード１がＵＤ式ボードの場合、上下スライド式ボードの場合（図５参照）、左右引分け式ボードの場合、あるいは、曲面又は半曲面ボードの場合（図６〜８参照）の方が長いものとなる。
【００２５】
また、基枠材３、４の高さ（奥行長さ）をメインボード１の厚みより大となるように設定した場合は、後方延長杆１３、１４はごく短いもので足り、あるいは、省略することが可能となる（図７、８参照）。その場合の基枠材３、４は、図７に示されるような一連の板状のものであってもよいが、複数の脚状のものであってもよい。
【００２６】
また、ガイドレール５、６を、メインボード１の少し手前側の天井３２と床面３３とに固定設置する場合（図９参照）は、スライド枠９はメインボード１の手前側に離隔することになるので、スライド枠９がメインボード１に接触することはない。従って、この場合は、後方延長杆１３、１４を設ける必要はない。
【００２７】
テレビ２０は、スライド枠９を上下のガイドレール５、６間に渡す前に又は渡した後に、スライド枠９の連結杆１２（あるいは、連結板１２ａ又は縦杆１０、１１）に取り付ける。その取り付けは、適宜、公知の引掛け手段を用いたり、ボルトやネジを用いたりして行う。
【００２８】
このように本発明に係る方法によれば、既設又は新設の黒板やホワイトボード等の壁面固定型のメインボード１に対し、そのメインボード１自体には何ら手を加えることなく、テレビ２０を取り付けるためのスライド枠９の施工作業を、容易且つ迅速に行うことができ、当該メインボード１に、その本来の筆記機能や掲示機能の他に、テレビ機能を付加して直ちに利用可能にすることができる。
【００２９】
かくして、本テレビシステムによれば、メインボード１に対するテレビ２０の付加設置作業を、時間とコストをかけずに実施することができ、直ちに、テレビ２０とメインボード１を適宜使い分けて使用することが可能となる。テレビ２０は、使用に際してメインボード１上の任意の位置に移動させて視聴することができる。
【００３０】
この発明をある程度詳細にその最も好ましい実施形態について説明してきたが、この発明の精神と範囲に反することなしに広範に異なる実施形態を構成することができることは明白である。従って、この発明は、添付請求の範囲において限定した以外はその特定の実施形態に制約されるものではない。
【符号の説明】
【００３１】
１          メインボード
３、４      基枠材
５、６      ガイドレール
７、８      レール係動手段
９          スライド枠
１０、１１  縦杆
１２        連結杆
１２ａ      連結板
１３、１４  後方延長杆
１５        転動ホイール
１６        ホイール軸
１９        切欠き
２０        テレビ
２１        プロジェクター
２２        プロジェクター取付用アーム
２３        レール係動手段
【図１】
0005592436.tif 000002
【図２】
0005592436.tif 000003
【図３】
0005592436.tif 000004
【図４】
0005592436.tif 000005
【図５】
0005592436.tif 000006
【図６】
0005592436.tif 000007
【図７】
0005592436.tif 000008
【図８】
0005592436.tif 000009
【図９】
0005592436.tif 000010